(57)【要約】【課題】  複数本の側部材を繋いで構成した筒状の外容器で、その断面形状並びに高さを変えることが出来る変形多様な容器の提供。【解決手段】  筒状の変形多様な容器１５は複数本の第１側部材１ａ，１ｂ，１ｃ・・と第２側部材２ａ，２ｂ，２ｃ・・を交互に連結すると共に各側部材の間にはスペーサー５，５・・、６，６・・を介在し、しかも第１側部材１ａ，１ｂ，１ｃ・・は昇降可能に繋がれている。【選択図】    図１
2008273628.tif 000002
【特許請求の範囲】
【請求項１】
複数本の側部材を繋いで構成した筒状の変形多様な容器に内容器を収容することが出来る容器であって、上記筒状の変形多様な容器は複数本の第１側部材と第２側部材を交互に連結すると共に第１側部材は昇降可能に繋がれていることを特徴とする変形多様な容器。
【請求項２】
上記第１側部材と第２側部材の間にはスペーサーを介在した請求項１記載の変形多様な容器。
【請求項３】
上記第１側部材及び第２側部材の上下端部には紐穴を設け、両紐穴の間には細長いガイド溝を形成した請求項１、又は請求項２記載の変形多様な容器。
【請求項４】
上記スペーサーを２個の半球体の間にバネを介在して構成した請求項２、又は請求項３記載の変形多様な容器。
【請求項５】
複数本の第２側部材を繋いで構成した筒状の変形多様な容器に内容器を収容することが出来る容器であって、上記第２側部材の軸に沿って上端から穴を設け、該穴に第１側部材を昇降動可能に嵌め、第１側部材の自重による降下を防止するためのストッパーを備えたことを特徴とする変形多様な容器。
【請求項６】
上記複数本の第２側部材をバンドを介して筒状に繋いだ請求５記載の変形多様な容器。
【発明の詳細な説明】
【技術分野】
【０００１】
本発明は高さと形状を自由に変えることが出来る変形多様な容器に関するものである。
【背景技術】
【０００２】
ゴミ箱はゴミを一時的に収容することが出来る一種の容器であり、上部は大きく開口している。一般的には筒形であり、材質はプラスチック製、金属製，木製など色々ある。しかし、従来の筒形ゴミ箱は剛体であり、その形状を設置する場所に応じて変えることは出来ず、まして高さを変えることは出来ない。
【０００３】
狭い部屋ともなれば、必需品であるにもかかわらずゴミ箱を置くスペースがなくて、時には邪魔になることも多い。ところで、従来において色々なゴミ箱形態が発明され、その一部は実施されている。例えば、特開２００６−２６４８９２号に係る「ゴミ箱」は、手や足を汚すことなく、ゴミ箱本体の内部に収容しているゴミ類を容易且つ効率的に圧縮することができ、これによってゴミ箱本体内のゴミ類の収容空間を無駄なく利用できるように構成している。そこで、ゴミ箱本体の上方開口部に、収容しているゴミ類を圧縮する圧縮機構部を設けている。この圧縮機構部は、足等の踏み付け力を利用したものである。また、圧縮機構部は、中央に開口部を有し、ゴミ箱本体の上方開口部に着脱可能に配置された保持枠部と、保持枠部の開口部を下方側から塞ぐよう、保持枠部の開口部の内径よりも若干大きく且つゴミ箱本体の内径よりも若干小さな外径を有する平蓋状の圧縮部材を備えている。
【０００４】
特開２００５−１９４０６５号に係る「ゴミ箱」は、再利用の買物袋を収納するスペースの確保に苦労せずに済み、ゴミ出し作業に伴い買物袋をゴミ箱に被せる際の手間を少なくすることが出来るゴミ箱である。そこで、筒状の本体の底部を二重にして、ゴミ入れのための再利用の買物袋を収納する。この底部を二重にするために、本体の上部の開口から入れる取り外し可能な上げ底を備える。あるいは、本体の底部に下方から接続され分離可能な筒状の分離底部を備える。あるいは、本体の二重底の側面に形成される開口部から出し入れできる引き出し状の引き出しケースを備えている。
【０００５】
これらのゴミ箱も本発明の目的とはかけ離れている。一方、本発明はゴミ箱に限定しているものではなく、鉢植えなどを入れる外容器をしても利用する。
【特許文献１】特開２００６−２６４８９２号に係る「ゴミ箱」
【特許文献２】特開２００５−１９４０６５号に係る「ゴミ箱」
【発明の開示】
【発明が解決しようとする課題】
【０００６】
このように、従来のゴミ箱は剛体として構成している。本発明が解決しようとする課題はこの問題点であり、形が変化すると共に高さの調整が可能な変形多様な容器を提供する。
【課題を解決するための手段】
【０００７】
本発明に係るゴミ箱などの外容器は変形多様な容器として構成され、細長い複数の側部材を有し、各側部材は垂直に起立して柔軟性のある紐やバンド、チェーン、又は伸縮可能なバンドや紐にて連結されて筒状を構成している。従って、該紐やバンドが湾曲変形することで、又はチェーンや紐が屈曲することで各側部材の位置関係は変化することが出来、外容器の横断面形状は変化する。ここで、側部材を繋ぐ紐やバンドが伸縮可能な性質を備えることが好ましい。
【０００８】
そして、側部材には２種類があり、第２側部材はその下端が床面に接して変形多様な容器の本体を構成し、第１側部材は上方へスライドして伸びることが出来るように取付けられている。第２側部材は紐やバンドで連結されて第２側部を構成し、この第２側部に対して第１側部材で構成する第１側部を有している。従って、第１側部を突出することで変形多様な容器の高さは高くなる。
【０００９】
ここで、第２側部材に対して第１側部材をスライドすることが出来る具体的な構造は限定しないことにする。例えば、第２側部材の上端から中心軸に沿って下方へ穴を形成し、この穴に第１側部材をスライド可能に嵌めることが出来、又は隣り合う第２側部材の間に第１側部材を介在し、第２側部材を繋ぐ紐やバンド、又はチェーンをガイドとしてスライド可能に取付けることも出来る。
【００１０】
本発明の変形多様な容器をゴミ箱として使用する場合には内容器を嵌めて構成する。該内容器は底を有す薄いシートで構成するのが一般的であるが、時には樹脂や金属製の内容器とすることもある。複数の側部材を繋いで構成した変形多様な容器は、剛体の内容器を抱き込むように組み合わすことも可能である。
【発明の効果】
【００１１】
本発明に係る変形多様な容器は、複数本の側部材が紐やバンド、又はチェーンで繋がれて構成している為にその形状は変化し、例えば机の脇にある小さなスペースにその形を変えて配置することが出来る。そして、側部材は第１側部材と第２側部材から成っている為に、第１側部はスライドして高さを変えることが出来る。すなわち、ゴミ箱として利用する場合には容積を増減することが可能である。一方、変形多様な容器内に収容される内容器を樹脂製又は金属製とすることも出来、更に変形多様な容器の上端を覆うようなデザインの内容器を収容することで、部屋のインテリアとしての機能を備えることも可能と成る。
【実施例】
【００１２】
図１は本発明に係る変形多様な容器を表している実施例である。同図の１は第１側部材、２は第２側部材を示し、複数本の第１側部材１ａ，１ｂ，１ｃ・・と第２側部材２ａ，２ｂ，２ｃ・・が交互に配列して筒状の変形多様な容器を構成している。ここで、第１側部材１ａ，１ｂ，１ｃ・・は柔軟性のある２本の第１紐３ａ，３ｂで上下端部が連結され、同じく第２側部材２ａ，２ｂ，２ｃ・・も柔軟性のある２本の第２紐４ａ，４ｂで連結されている。
【００１３】
そして、第１側部材１ａ，１ｂ，１ｃ・・と第２側部材２ａ，２ｂ，２ｃ・・との間にはスペーサー５，５・・とスペーサー６，６・・が介在していて、第１側部材１ａ，１ｂ，１ｃ・・と第２側部材２ａ，２ｂ，２ｃ・・の間隔を一定に保っている。第１側部材１ａ，１ｂ，１ｃ・・と第２側部材２ａ，２ｂ，２ｃ・・は、その上端部が２本の第１紐３ａ，第２紐４ａと下端部が２本の第１紐３ｂ、第２紐４ｂにて連結されている。ここで、上記スペーサーは必ずしも必要ではなく、用いない場合もある。
【００１４】
ところで、上下端部が２本の第１紐３ａ，３ｂにて繋がれている第１側部材１ａ，１ｂ，１ｃ・・は第１側部を構成し、同じく上下端部が２本の第２紐４ａ，４ｂにて繋がれている第２側部材２ａ，２ｂ，２ｃ・・は第２側部を構成している。そして、第１側部は第２側部に対してスライドして外容器の高さを調整することが出来る。同図は第１側部が降下している状態であるが、引き伸ばすことでその高さは高くなる。
【００１５】
図２（ａ）は第１側部材、図２（ｂ）は第２側部材を夫々表している具体例である。この第１側部材１は一定厚さの細長い棒材であり、その上下端には紐穴７，８が貫通して設けられ、両紐穴７，８の間には細長いガイド溝９が延びている。同じく、第２側部材２も一定厚さの細長い棒材であり、その上下端には紐穴１０，１１が貫通して設けられ、両紐穴１０，１１の間には細長いガイド溝１２が延びている。
【００１６】
ここで、第１側部材１の紐穴７には第１紐３ａが挿通し、紐穴８には第１紐３ｂが挿通している。又、ガイド溝９には第２紐４ａが嵌っている。同じく、第２側部材２の紐穴１０には第２紐４ａが挿通し、紐穴１１には第２紐４ｂが挿通している。そして、ガイド溝１２には第１紐３ｂが嵌っている。
【００１７】
第１側部を構成している第１側部材１ａ，１ｂ，１ｃ・・を持ち上げるならば、第１紐３ｂは第２側部材２ａ，２ｂ，２ｃ・・に形成しているガイド溝１２，１２・・に沿って上昇する。又、第２紐４ａは第１側部材１ａ，１ｂ，１ｃ・・に形成しているガイド溝９，９・・に沿って移動することが出来る。そして、第１側部材１ａ，１ｂ，１ｃ・・と第２側部材２ａ，２ｂ，２ｃ・・は、間にスペーサー５，５・・及びスペーサー６，６・・が介在していることで、所定の間隔を保った状態でスライドすることが出来る。
【００１８】
このように第１側部はスライドして上昇するが、自重で降下しないように上記第１紐３ａ，３ｂ、及び第２紐４ａ，４ｂは伸縮性のある紐を用いることが出来、各スペーサー５，５・・、６，６、・・の側面が各第１側部材１ａ，１ｂ，１ｃ・・と第２側部材２ａ，２ｂ，２ｃ・・に接して摩擦力を発生することが出来るようにしている。又は、上記スペーサー５、６にバネ又は弾性体を取付けることで、第１側部材１と第２側部材との間に作用する摩擦を高めることも可能である。
【００１９】
同図のスペーサー５，６は中心に第２紐４ａ、第１紐３ｂが挿通する穴２２を貫通した円盤形であるが、球状とすることもある。例えば、図３に示すように２個の半球体１３ａ，１３ｂを対にして組み合わせ、両半球体１３ａ，１３ｂの間に弾性体又はバネ１４を介在することで伸縮可能とし、その結果、第１側部材１と第２側部材２との間に適度な接触面圧の下で挟まれて摩擦力を発生することが出来る。そして、第１側部材１と第２側部材２とのは点接触することで穴２２を挿通する紐３にて筒状に配列することが可能である。
【００２０】
図４は第１側部材１ａ，１ｂ，１ｃ・・を上昇させた変形多様な容器であり、該変形多様な容器の高さは高くなる。上記第１側部材１ａ，１ｂ，１ｃ・・が上昇するが、この場合上端部の第１紐３ａと下端部の第１紐３ｂは共に上昇する。下端部の第１紐３ｂは第２側部材２ａ，２ｂ・・に形成しているガイド溝１２，１２・・に沿って上方へ移動し、第２側部材２ａ，２ｂ，２ｃ・・の上端部を繋いでいる第２紐４ａは第１側部材１ａ，１ｂ，１ｃ・・のガイド溝９，９・・に沿って移動することが出来る。
【００２１】
図５は筒形をした変形多様な容器１５に内容器１６を収容する場合である。上記変形多様な容器１５は第１側部材１ａ，１ｂ，１ｃ・・と第２側部材２ａ，２ｂ，２ｃ・・がスペーサー５，５、・・、６，６・・を介して互いに連結した筒体であり底はなく、その為に変形多様な容器１５は第１側部材１ａ，１ｂ，１ｃ・・と第２側部材２ａ，２ｂ，２ｃ・・との間に隙間が形成されている。従って、このままではゴミ箱として機能することは出来ない為に、上記内容器１６が収容される。該内容器１６はナイロンやビニールなどの薄いシートで構成され、その為に外容器となる変形多様な容器１５に収容することで一体化され、変形多様な容器１５の形状に追従してその形を変えることが出来る。
【００２２】
そして、この内容器１６にはゴミを入れることが出来ることから、内容器１６ごとゴミを捨てることも可能と成る。ここで、内容器１６と外容器となる変形多様な容器１５とを組み合わせることで部屋のインテリアとしての効果を発揮するようにすることも出来る。勿論、内容器１６としては薄いシートで構成する場合に限らず、プラスチック製と剛体とすることもある。
【００２３】
図６は本発明の他の実施例であり、第１側部材１７が第２側部材１８の一部として構成している場合である。変形多様な容器１５は、複数本の第２側部材１８，１８・・が互いに連結された筒体として構成している。そして、第１側部材１７，１７・・は第２側部材１８，１８・・の中心軸に沿って設けた穴に嵌り、この穴に沿ってスライドすることが出来るように成っている。
【００２４】
従って、第１側部材１７，１７・・を持ち上げるならば、変形多様な容器１５の高さは高くなる。この場合、第１側部材１７，１７・・の上端を紐にて連結していることもあるが、該紐を用いないで第１側部材１７，１７・・が互いに独立して昇降スライドすることも出来る。ただし、上昇した第１側部材１７，１７・・が自重で降下しないように、降下防止用ストッパーを設けている。
【００２５】
図７は第１側部材の降下を防止するストッパー機構の具体例であり、第２側部材１８の上端に取付けた板バネ２１が第１側部材１７の側面に形成した凹溝２０に係合するように成っている。従って、第１側部材１７は自重によって降下することはなく、上昇した状態で保持される。
【図面の簡単な説明】
【００２６】
【図１】本発明に係る変形多様な容器の具体例。
【図２】図１の側部を構成している第１側部材と第２側部材。
【図３】第１側部材と第２側部材の間に介在するスペーサーの具体例。
【図４】高さを高くした変形多様な容器。
【図５】変形多様な容器に内容器を収容する場合。
【図６】変形多様な容器を示す他の具体例。
【図７】第１側部材の降下を防止するストッパー機構。
【符号の説明】
【００２７】
１  第１側部材
２  第２側部材
３  第１紐
４  第２紐
５  スペーサー
６  スペーサー
７  紐穴
８  紐穴
９  ガイド溝
10  紐穴
11  紐穴
12  ガイド溝
13  半球体
14  バネ
15  変形多様な容器
16  内容器
17  第１側部材
18  第２側部材
19  バンド
20  凹溝
21  板バネ
22  穴
【図１】
2008273628.tif 000003
【図２】
2008273628.tif 000004
【図３】
2008273628.tif 000005
【図４】
2008273628.tif 000006
【図５】
2008273628.tif 000007
【図６】
2008273628.tif 000008
【図７】
2008273628.tif 000009